(57)【特許請求の範囲】
【請求項１】
免震装置の下プレートに形成された貫通孔に対応して複数の貫通孔が形成されたジグプレートと、このジグプレートの各貫通孔に挿通されており、頭部がジグプレートの一方の面に配されたボルトと、ジグプレートの他方の面から突出した各ボルトのねじ部に螺合された袋ナットと、ジグプレートを基礎床の上に支持する支柱手段とを具備した組み合わせ体を準備し、この組み合わせ体を、支柱手段を介して基礎床の上に配置して、ジグプレートの下面下にコンクリート又はモルタルを打ち込んで、袋ナットが埋設された下部構造物を形成すると共に、下部構造物の上面をジグプレートの下面全体で平坦に形成し、この下部構造物の形成後、各ボルトを取り外してジグプレートを下部構造物の上面から除去し、ジグプレートが除去された下部構造物の上面に免震装置を載置して、免震装置の下プレートに形成された貫通孔を介してボルトを下部構造物中の袋ナットに螺合させて、免震装置を下部構造物上に固定する免震装置の設置方法。
【請求項２】
支柱手段は、複数の袋ナットのうちの少なくとも一部の袋ナットの一端に固着されたスタッドを具備している請求項１に記載の免震装置の設置方法。
【請求項３】
スタッドは伸縮自在であって、基礎床からのジグプレートの高さをスタッドにより調整する請求項２に記載の免震装置の設置方法。
【請求項４】
支柱手段は、頭部がジグプレートの一方の面に配されて、ジグプレートに螺合された長尺ボルトを具備しており、基礎床からのジグプレートの高さを長尺ボルトにより調整し、下部構造物の形成後、ジグプレートから長尺ボルトを除去する請求項１から３のいずれか一項に記載の免震装置の設置方法。
【請求項５】
組み合わせ体のジグプレートの下面に離型材を予め付与する請求項１から４のいずれか一項に記載の免震装置の設置方法。
【請求項６】
ジグプレートを下部構造物の上面から除去した後に、下部構造物の上面にコンクリート又はモルタルを充填して、下部構造物の上面を平坦にする請求項１から５のいずれか一項に記載の免震装置の設置方法。
【請求項７】
免震装置を下部構造物上に固定した後、免震装置の上プレートの上面上にコンクリート又はモルタルを打ち込んで、免震装置によって免震支持される上部構造物を形成する請求項１から６のいずれか一項に記載の免震装置の設置方法。
【請求項８】
下部構造物の上面に載置する免震装置の上プレートの上面には、袋ナットが当該上プレートに形成された複数の貫通孔に挿通されたボルトに螺合されて予め取り付けられており、免震装置の上プレートの上面上へのコンクリート又はモルタルの打ち込みにより、上プレートの上面に取り付けられた袋ナットを埋設した上部構造物を形成する請求項７に記載の免震装置の設置方法。
【請求項９】
免震装置の下プレート及び上プレートの下面及び上面に離型材を予め付与する請求項１から８のいずれか一項に記載の免震装置の設置方法。
【発明の詳細な説明】
【０００１】
【発明の属する技術分野】
本発明は、上部構造物を免震支持するために、積層ゴム等からなる免震装置を上部構造物と下部構造物との間に設置する方法に関する。
【０００２】
【発明が解決しようとする課題】
免震装置は、通常、上部構造物と下部構造物とのそれぞれに設置された上部及び下部アンカープレートを介して上部構造物と下部構造物との間に設置される。そして、この上部及び下部アンカープレートのそれぞれには、袋ナット、アンカーボルト等が予め溶接されて固着されており、これらの袋ナット、アンカーボルト等は、上部構造物と下部構造物とのそれぞれに埋設され、上部及び下部アンカーボルトにより上部及び下部アンカープレートのそれぞれを上部構造物と下部構造物とのそれぞれにしっかりと固定し、上部及び下部袋ナットのそれぞれにボルトを螺合させて、免震装置を上部及び下部アンカープレートにボルト止めしている。
【０００３】
ところで、上部及び下部アンカープレートに袋ナット、アンカーボルトを溶接すると、上部及び下部アンカープレートに一旦熱を加えるため、冷却後に上部及び下部アンカープレートに歪みを生じさせ、上部及び下部アンカープレートの平坦度を低下させる。この平坦度の低下は、免震装置を上部構造物と下部構造物との間に設置した後において、上部構造物からの下部構造物への鉛直荷重の伝達及び免震装置の機能に悪影響を及ぼし、結果として、所望に上部構造物を免震支持し得ない虞がある。このため上部及び下部アンカープレートに歪み修正を行うが、この歪み修正において所望の平坦度（１．５ｍｍ／ｍ以下）を確保することが極めて難しく、多くの工数を費やして、コストアップの要因となる。
【０００４】
また、下部アンカープレートの下面にコンクリート又はモルタルを打ち込んで、下部構造物に下部アンカープレートを固定しているが、下部アンカープレートは下部構造物の上面に設置したままとなるため、下部アンカープレートの下面にコンクリート又はモルタルが完全に充填されていることを確認することが困難であって、また、仮にコンクリート又はモルタルが未充填であることがコンクリート又はモルタルの乾燥後に確認し得たとしても、その補充が困難である。下部アンカープレートの下面にコンクリート又はモルタルの未充填部が存在すると、上記と同様に、免震装置の機能に悪影響を及ぼし、免震装置に設計通りの免震、支承機能を発揮させることができない虞が生じ得る。
【０００５】
更に、上部及び下部アンカープレートは、比較的その価格が高く、このため価格についての要求が厳しい、いわゆるマンションのような集合住宅に免震装置を適用することにつての障害要因の一つにもなっている。
【０００６】
本発明は、前記諸点に鑑みてなされたものであって、その目的とするところは、下部アンカープレートを省略することができ、下部アンカープレートに起因する上記の種々の不都合をなくし得る免震装置の設置方法を提供することにある。
【０００７】
【課題を解決するための手段】
本発明の免震装置の設置方法は、免震装置の下プレートに形成された貫通孔に対応して複数の貫通孔が形成されたジグプレートと、このジグプレートの各貫通孔に挿通されており、頭部がジグプレートの一方の面に配されたボルトと、ジグプレートの他方の面から突出した各ボルトのねじ部に螺合された袋ナットと、ジグプレートを基礎床の上に支持する支柱手段とを具備した組み合わせ体を準備し、この組み合わせ体を、支柱手段を介して基礎床の上に配置して、ジグプレートの下面下にコンクリート又はモルタルを打ち込んで、袋ナットが埋設された下部構造物を形成すると共に、下部構造物の上面をジグプレートの下面全体で平坦に形成し、この下部構造物の形成後、各ボルトを取り外してジグプレートを下部構造物の上面から除去し、ジグプレートが除去された下部構造物の上面に免震装置を載置して、免震装置の下プレートに形成された貫通孔を介してボルトを下部構造物中の袋ナットに螺合させて、免震装置を下部構造物上に固定する。
【０００８】
本発明の設置方法において、支柱手段は、複数の袋ナットのうちの少なくとも一部の袋ナットの一端に固着されたスタッドを具備している。本発明では、このスタッドを伸縮自在として、基礎床からのジグプレートの高さをスタッドにより調整してもよい。また、支柱手段は、上記のスタッドに代えて又はこれと共に、頭部がジグプレートの一方の面に配されて、ジグプレートに螺合された長尺ボルトを具備している。支柱手段が長尺ボルトを具備する場合、基礎床からのジグプレートの高さをこの長尺ボルトにより調整し、下部構造物の形成後、ジグプレートからこの長尺ボルトを除去する。以上の方法によれば、ジグプレートの水平度を調整し得る結果、正確にジグプレートを水平に配し得、したがって、下部構造物の上面の水平度を容易に確保し得る。なお、スタッドは、ジグプレートの他方の面に配された全ての袋ナットに固着してもよいが、組み合わせ体を基礎床の上に倒れないように配置して、ジグプレートを水平に配し得るように、少なくとも一部の袋ナット、例えば３個の袋ナットの一端に固着されていればよい。長尺ボルトの場合も同様である。
【０００９】
また、本発明の設置方法においては、組み合わせ体のジグプレートの下面並びに免震装置の下プレート及び上プレートの下面及び上面に離型材を予め付与する。組み合わせ体のジグプレートの下面に離型材を予め付与する方法によれば、下部構造物の上面からのジグプレートの除去を容易に行い得、また、免震装置の下プレート及び上プレートの下面及び上面に離型材を予め付与する方法によれば、免震装置の取換えの際に、下部構造物と上部構造物との間から容易に免震装置を除去し得る。
【００１０】
上記方法において、ジグプレートを下部構造物の上面から除去した後に、当該上面にコンクリート又はモルタルの未充填部がある場合又は当該上面の平坦度若しくは水平度が不備の場合、下部構造物の上面にコンクリート又はモルタルを充填して、下部構造物の上面を平坦若しくは水平にする。これにより、下部構造物の上面の平坦度とこれに加えて水平度とを確実に確保し得る。
【００１１】
本発明方法では、免震装置を下部構造物上に固定した後、免震装置の上プレートの上面上にコンクリート又はモルタルを打ち込んで、免震装置によって免震支持される上部構造物を形成する。この場合、下部構造物の上面に載置する免震装置の上プレートの上面には、袋ナットが当該上プレートに形成された複数の貫通孔に挿通されたボルトに螺合されて予め取り付けられており、免震装置の上プレートの上面上へのコンクリート又はモルタルの打ち込みにより、上プレートの上面に取り付けられた袋ナットを埋設した上部構造物を形成する。上プレートに袋ナットが予め取り付けられた免震装置を用いことにより、上部アンカープレートを省くことができてコスト低減を図り得る。
【００１２】
本発明により設置する免震装置としては、ゴム層と補強鋼板とを交互に積層した積層ゴム体と、この積層ゴム体の両端面に一体的に固着された下プレート及び上プレートとを主として具備したもの、又は上記の積層ゴム体の内部に鉛支柱を配したもの等のいずれであってもよく、更には、積層ゴム体に代えて、ゴム支柱からなる免震装置であってもよい。
【００１３】
【発明の実施の形態】
次に本発明の実施の形態を、図に示す好ましい実施例に基づいて更に詳細に説明する。なお、本発明はこれら実施例に何等限定されないのである。
【００１４】
【実施例】
図１に示すように、まず、基礎床３１の上に鋼筋からなる配筋１を溶接等により組み立てる。そして、次に、図２及び図３に示す組み合わせ体２を準備する。組み合わせ体２は、免震装置３（図６参照）の円盤状の下プレート４に形成された複数個の貫通孔５のそれぞれに対応して複数の貫通孔６が形成された矩形のジグプレート７と、ジグプレート７の各貫通孔６に挿通されており、頭部８がジグプレート７の一方の面９に配されたボルト１０と、ジグプレート７の他方の面１１から突出した各ボルト１０のねじ部１２に螺合された袋ナット１３と、複数の袋ナット１３のうちの少なくとも一部の袋ナット１３、本例では軸対称に配された４個の袋ナット１３の一端１４に固着された伸縮自在なスタッド１５とを具備している。
【００１５】
本例の複数個の貫通孔５は、免震装置３の下プレート４に、その周方向に等間隔に形成されており、免震装置３の円盤状の上プレート２１にも同様に、その周方向に等間隔に複数個の貫通孔２２が形成されている。なお、免震装置３は、本例では、図６に示すように、積層ゴム体２３と、積層ゴム体２３の両端面にそれぞれ固着された上記の上下プレート４及び２１とを具備している。
【００１６】
複数の貫通孔６が形成された鋼板等からなるジグプレート７には、更に、その中央に大径の貫通孔２５が形成されており、貫通孔２５を介して後述するコンクリートの打ち込み（打設）がなされる。なお、ジグプレート７の下面１１には、離型材を予め付与しておく。
【００１７】
支柱手段としての伸縮自在なスタッド１５は、袋ナット１３の一端１４に溶接により固着された長ナット２６と、長ナット２６に螺合したボルト２７とからなり、ボルト２７を回転させることにより、支柱として用いるスタッド１５の高さ（長さ）を調整することができる。
【００１８】
次に、組み合わせ体２を、図４に示すように、袋ナット１３に固着された各スタッド１５を支柱として配筋１が配された基礎床３１の上に配置する。この配置において、各ボルト２７の頭部３２と基礎床３１との間にそれぞれ鋼板３３を敷き、頭部３２に鋼板３３を溶接により固定するとよい。配置後、各スタッド１５を伸縮させて、ジグプレート７の高さを調節すると共にジグプレート７を水平に配置する。この際、組み合わせ体２の水平位置を調整、設定するために、Ｌ型金具３５と、Ｌ型金具３５に螺合したボルト３６とからなる調整具３７を、ボルト３６の先端がジグプレート７の側面に当接し得るようにして、組み合わせ体２の周囲の基礎床３１に仮固定して、ボルト３６を回転させジグプレート７を水平方向に移動させてもよい。
【００１９】
組み合わせ体２の配置、調整後、図４及び図５に示すように、組み合わせ体２を取り囲んで型枠４１を組み立てる。型枠４１の組み立て後、貫通孔２５を介してジグプレート７の下面１１下にコンクリートを打ち込んで、各袋ナット１３が埋設された下部構造物４５（図６参照）を形成する。なお、ジグプレート７の下面１１下へのコンクリートの打ち込みは、上記のように貫通孔２５を介して行ってもよいが、ジグプレート７の周囲に隙間ができるようにして型枠４１を組み立てて、この隙間からジグプレート７の下面１１下にコンクリートを打ち込んでもよい。このようにすると、貫通孔２５を有しないジグプレート７を用いることができ、しかも、下部構造物４５の上面４６をジグプレート７の下面１１全体で容易に平坦に形成できる。
【００２０】
下部構造物４５の形成後、各ボルト１０を取り外してジグプレート７を下部構造物４５の上面４６から除去すると共に、必要によりこの時点で調整具３７をも除去する。ジグプレート７の除去において、引っ掛け具５１をジグプレート７の上面９に溶接して、引っ掛け具５１にワイヤを掛けてクレーン等により持ち上げるとよい。ジグプレート７の除去後、下部構造物４５の上面４６にコンクリートの未充填部等が存在する場合には、そこにコンクリート又はモルタルを打ち込んで充填して、下部構造物４５の上面４６の平坦度及び水平度を確保する。
【００２１】
次に、図６に示すように、上プレート２１の上面６１に袋ナット６２が当該上プレート２１に形成された複数の貫通孔２２に挿通された各ボルト６３に螺合されて取り付けられた免震装置３を準備し、この免震装置３をジグプレート７が除去された下部構造物４５の上面４６にクレーン等を用いて載置して、図７に示すように、免震装置３の下プレート４に形成された貫通孔５を介してボルト６５を下部構造物５中の袋ナット１３に螺合させて、免震装置３を下部構造物４５上に固定する。
【００２２】
免震装置３を下部構造物５上に固定した後、免震装置３の上プレート２１の周りに型枠７１を配置して、免震装置３の上プレート２１の上面６１上にモルタルを打ち込んでモルタル層７２を、次にコンクリートを打ち込んでコンクリート層７３をそれぞれ形成する。このモルタル及びコンクリートの打ち込みにより、袋ナット６２を埋設した上部構造物７４を形成する。
【００２３】
以下、型枠７１を除去することにより、図８に示すように、免震装置３によって免震支持される上部構造物７４が形成される。
【００２４】
なお、免震装置３の下部構造物４５の上面４６への載置前に、免震装置３の下プレート４及び上プレート２１の下面７５及び上面６１に、離型材を付与しておくことにより、免震装置３の交換時、下部構造物４５と上部構造物７４との間から容易に免震装置３を除去し得る。
【００２５】
上記の設置方法では、上部及び下部アンカープレートを用いないのでコストを低減し得る上に、下プレート４及び上プレート２１が歪むこともなく、歪み修正のための経費も必要としない。更に、ジグプレート７を除去するので、下部構造物４５の上面４６にコンクリート又はモルタルを再打ち込みでき、下部構造物４５の上面４６の平坦度及び水平度を調整でき、したがって下部構造物４５の上面４６の平坦度及び水平度を容易に確保できる。
【００２６】
なお、上記の設置方法ではジグプレート７を再利用できるので、この点からもコストを低減し得る。
【００２７】
支柱手段として、上記では伸縮自在なスタッド１５で実施したが、これに代えて又はこれと共に、それぞれの頭部がジグプレート７の一方の面９に配されて、それぞれのねじ部がジグプレート７に螺合され、それぞれの先端が基礎床３１に当接し得る以上の長さをそれぞれ有した複数の長尺ボルトから支柱手段を構成し、基礎床３１からのジグプレート７の高さ及びその水平度をこの長尺ボルトを適宜回転させることにより調整し、下部構造物４５の形成後、各長尺ボルトを回転させて下部構造物４５及びジグプレート７から各長尺ボルトを除去するようにしてもよい。この場合、各長尺ボルトのねじ部に離型材を付与しておくと、下部構造物４５からのその除去を容易に行い得る。また、除去後、下部構造物４５の上面４６に除去穴が生じるが、適宜にコンクリート又はモルタルを打ち込んで当該穴を埋めるようにすればよい。
【００２８】
【発明の効果】
以上のように本発明によれば、下部アンカープレートを省略することができ、下部アンカープレートに起因する種々の不都合をなくし得、免震装置を設置する下部構造物の上面を平坦に且つ水平に形成し得る結果、免震装置に設計通りの免震、支承機能を発揮させることができる。
【図面の簡単な説明】
【図１】本発明の好ましい一実施例の説明のための配筋組み立ての斜視図である。
【図２】本発明の好ましい一実施例の説明のための組み合わせ体の斜視図である。
【図３】図２に示す組み合わせ体の側面図である。
【図４】図１及び図２に示す配筋組み立て及び組み合わせ体と型枠との配置の側面図である。
【図５】図４に示す配筋組み立て及び組み合わせ体と型枠との配置の斜視図である。
【図６】本発明の好ましい一実施例の説明のための免震装置及び下部構造物の配置の側面図である。
【図７】本発明の好ましい一実施例の説明のための免震装置及び下部構造物と型枠との配置の側面図である。
【図８】本発明の好ましい一実施例により下部構造物と上部構造物との間に設置された免震装置の側面図である。
【符号の説明】
２  組み合わせ体
３  免震装置
４  下プレート
５、６  貫通孔
７  ジグプレート
１０  ボルト
１３  袋ナット
１５  スタッド
４５  下部構造物
６５  ボルト
【図１】
0003787971.tif 000002
【図２】
0003787971.tif 000003
【図３】
0003787971.tif 000004
【図４】
0003787971.tif 000005
【図５】
0003787971.tif 000006
【図６】
0003787971.tif 000007
【図７】
0003787971.tif 000008
【図８】
0003787971.tif 000009